Podtech/llm-jp-corpus-v4-ja_patent huggingface dataset:
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置のシステムクロックを設定する設定手段と、
前記情報処理装置の外部バスに接続された外部システムの動作可能クロック周波数を検出する検出手段と、
前記検出手段で検出した外部システムの動作可能クロック周波数と、前記設定手段で設定されたシステムクロック周波数とが異なる場合に、前記設定手段に設定されたシステムクロック周波数を前記外部システムの動作可能クロック周波数に再設定する再設定手段とを備えることを特徴とする情報処理装置。
【請求項２】
前記再設定手段は、前記情報処理装置のＣＰＵがＲＯＭ内に格納されているシステムクロック周波数を書き換え、リブートすることによりシステムクロック周波数を再設定することを特徴とする請求項１記載の情報処理装置。
【請求項３】
前記外部バスとしてプライマリバスとセカンダリバスとがブリッジを介して接続され、前記検出手段は前記プライマリバスに接続された外部システムのクロックを検出することを特徴とする請求項１又は請求項２記載の情報処理装置。
【請求項４】
前記プライマリバスとセカンダリバスは、ＰＣＩバスであることを特徴とする請求項３記載の情報処理装置。
【請求項５】
情報処理装置のシステムクロック周波数の設定方法であって、
検出手段が、前記情報処理装置の外部バスに接続された外部システムの動作可能クロック周波数を検出する検出工程と、
再設定手段が、前記検出工程で検出した外部システムの動作可能クロック周波数と、前記情報処理装置のシステムクロック周波数とが異なる場合に、前記システムクロック周波数を前記外部システムの動作可能クロック周波数に再設定する再設定工程とを有することを特徴とするシステムクロック周波数の設定方法。
【請求項６】
前記再設定工程は、前記情報処理装置のＣＰＵがＲＯＭ内に格納されているシステムクロック周波数を書き換え、リブートすることによりシステムクロック周波数を再設定することを特徴とする請求項５記載のシステムクロック周波数の設定方法。
【請求項７】
情報処理装置のシステムクロック周波数の設定手順をコンピュータに実行させるためのプログラムであって、
前記情報処理装置の外部バスに接続された外部システムの動作可能クロック周波数を検出する検出手順と、
前記検出手順で検出した外部システムの動作可能クロック周波数と、前記情報処理装置のシステムクロック周波数とが異なる場合に、前記システムクロック周波数を前記外部システムの動作可能クロック周波数に再設定する再設定手順とをコンピュータに実行させるためのプログラム。
【手続補正２】
【補正対象書類名】明細書
【補正対象項目名】発明の名称
【補正方法】変更
【補正の内容】
【発明の名称】情報処理装置及びそのシステムクロック周波数の設定方法
【手続補正３】
【補正対象書類名】明細書
【補正対象項目名】０００１
【補正方法】変更
【補正の内容】
【０００１】
本発明は、情報処理装置及びそのシステムクロック周波数の設定方法に関するものである。
【手続補正４】
【補正対象書類名】明細書
【補正対象項目名】０００７
【補正方法】変更
【補正の内容】
【０００７】
本発明は、上記課題を解決するためになされたものであり、外部バスに接続される外部システムに応じて最適なシステムクロック周波数を設定することを目的とする。
【手続補正５】
【補正対象書類名】明細書
【補正対象項目名】０００８
【補正方法】変更
【補正の内容】
【０００８】
本発明は、情報処理装置であって、前記情報処理装置のシステムクロックを設定する設定手段と、前記情報処理装置の外部バスに接続された外部システムの動作可能クロック周波数を検出する検出手段と、前記検出手段で検出した外部システムの動作可能クロック周波数と、前記設定手段で設定されたシステムクロック周波数とが異なる場合に、前記設定手段に設定されたシステムクロック周波数を前記外部システムの動作可能クロック周波数に再設定する再設定手段とを備えることを特徴とする。
【手続補正６】
【補正対象書類名】明細書
【補正対象項目名】０００９
【補正方法】変更
【補正の内容】
【０００９】
また本発明は、情報処理装置のシステムクロック周波数の設定方法であって、検出手段が、前記情報処理装置の外部バスに接続された外部システムの動作可能クロック周波数を検出する検出工程と、再設定手段が、前記検出工程で検出した外部システムの動作可能クロック周波数と、前記情報処理装置のシステムクロック周波数とが異なる場合に、前記システムクロック周波数を前記外部システムの動作可能クロック周波数に再設定する再設定工程とを有することを特徴とする。
【手続補正７】
【補正対象書類名】明細書
【補正対象項目名】００１０
【補正方法】変更
【補正の内容】
【００１０】
本発明によれば、外部バスに接続される外部システムに応じて最適なシステムクロック周波数を設定することができる。
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
プライマリシステムの拡張バスとセカンダリシステムの拡張バスとを接続するブリッジであって、
セカンダリシステムで発生したローカルなエラーを認識する認識手段と、
前記認識手段で認識したローカルなエラーをシステムエラーとしてプライマリシステムに通知する通知手段とを有することを特徴とするブリッジ。
【請求項２】
前記ブリッジはＰＣＩブリッジであることを特徴とする請求項１記載のブリッジ。
【請求項３】
前記認識手段で認識したローカルなエラーの要因を記憶する記憶手段を更に有することを特徴とする請求項１又は請求項２記載のブリッジ。
【請求項４】
前記認識手段で認識したローカルなエラーをシステムエラーとするか否かを設定する設定手段を更に有することを特徴とする請求項１乃至請求項３の何れか一項記載のブリッジ。
【請求項５】
前記認識手段は、前記セカンダリシステムのＣＰＵが出力するローカルエラー出力信号に基づいてローカルなエラーを認識することを特徴とする請求項１乃至請求項４の何れか一項記載のブリッジ。
【請求項６】
前記認識手段は、前記セカンダリシステムのＣＰＵが管理するウォッチドッグタイマーに基づいてローカルなエラーを認識することを特徴とする請求項１乃至請求項４の何れか一項記載のブリッジ。
【請求項７】
前記通知手段は、前記ローカルなエラーを前記プライマリシステムのＣＰＵにＰＣＩ規格に則ったＳＥＲＲ＃信号に変換して通知することを特徴とする請求項１乃至請求項６の何れか一項記載のブリッジ。
【請求項８】
前記通知手段は、前記ローカルなエラーを前記プライマリシステムのＣＰＵに割込み信号を用いて通知することを特徴とする請求項１乃至請求項６の何れか一項記載のブリッジ。
【請求項９】
請求項１乃至請求項８の何れか一項記載のブリッジを搭載するシステム。
【請求項１０】
プライマリシステムの拡張バスとセカンダリシステムの拡張バスとを接続するブリッジのエラー通知方法であって、
セカンダリシステムで発生したローカルなエラーを認識する認識工程と、
前記認識工程で認識したローカルなエラーをシステムエラーとしてプライマリシステムに通知する通知工程とを有することを特徴とするブリッジのエラー通知方法。
【請求項１１】
プライマリシステムの拡張バスとセカンダリシステムの拡張バスとを接続するブリッジのエラー通知手順をコンピュータに実行させるプログラムであって、
セカンダリシステムで発生したローカルなエラーを認識する認識手順と、
前記認識手順で認識したローカルなエラーをシステムエラーとしてプライマリシステムに通知する通知手順とをコンピュータに実行させるためのプログラム。
【請求項１２】
プライマリシステムとセカンダリシステムを有するシステムであって、
前記セカンダリシステムは、前記プライマリシステムを接続するブリッジを有し、
前記ブリッジは、前記セカンダリシステムのローカルエラーの発生に応じて、システムエラーを前記プライマリシステムに通知する通知手段、および、ローカルエラーの要因を記憶する記憶手段を有し、
前記プライマリシステムは、前記ブリッジからのシステムエラーの通知、および、前記記憶手段に記憶されているローカルエラーの要因に応じて、前記セカンダリシステムをリセットするシステム。
【請求項１３】
プライマリシステムとセカンダリシステムを有するシステムであって、
前記セカンダリシステムは、前記プライマリシステムを接続するブリッジを有し、
前記ブリッジは、前記セカンダリシステムのローカルエラーの発生に応じて、割込み信号を前記プライマリシステムに通知する通知手段、および、ローカルエラーの要因を記憶する記憶手段を有し、
前記プライマリシステムは、前記ブリッジからの割込み信号の通知、および、前記記憶手段に記憶されているローカルエラーの要因に応じて、前記セカンダリシステムをリセットするシステム。
【手続補正２】
【補正対象書類名】明細書
【補正対象項目名】発明の名称
【補正方法】変更
【補正の内容】
【発明の名称】ブリッジ及びそのエラー通知方法、プログラム並びにシステム
【手続補正３】
【補正対象書類名】明細書
【補正対象項目名】０００１
【補正方法】変更
【補正の内容】
【０００１】
本発明は、プライマリシステムの拡張バスとセカンダリシステムの拡張バスとを接続するブリッジ及びそのエラー通知方法、プログラム並びにシステムに関するものである。
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
プライマリ・バスとセカンダリ・バスとを接続するＰＣＩブリッジであって、
前記プライマリ・バスとセカンダリ・バスとの間のデータトランザクションを処理するＰＣＩ−ＰＣＩブリッジと、
前記セカンダリ・バス上のメモリから前記プライマリ・バス上のメモリへステータスを転送するＤＭＡアクセラレータと、
前記ＰＣＩ−ＰＣＩブリッジと前記ＤＭＡアクセラレータとに対する共通の設定情報を記憶する記憶手段と、
前記設定情報に基づいて前記ＰＣＩ−ＰＣＩブリッジによるデータトランザクションの処理と前記ＤＭＡアクセラレータによるステータスの転送とを制御する手段と、
を有することを特徴とするＰＣＩブリッジ。
【請求項２】
前記ＤＭＡアクセラレータは、前記プライマリ・バス上のメモリからディスクリプタを読み出し、当該ディスクリプタに基づいて前記セカンダリ・バス上のメモリからステータスを読み出し、前記プライマリ・バス上のメモリへ転送することを特徴とする請求項１記載のＰＣＩブリッジ。
【請求項３】
前記ＤＭＡアクセラレータは、前記プライマリ・バス上のメモリからディスクリプタを読み出し、当該ディスクリプタに基づいて前記セカンダリ・バス上のメモリからステータスを読み出し、前記プライマリ・バス上のメモリへ転送し、新たなディスクリプタを前記プライマリ・バス上のメモリへ書き込み、前記ディスクリプタを更新することを特徴とする請求項１記載のＰＣＩブリッジ。
【請求項４】
請求項１乃至３の何れか一項記載のＰＣＩブリッジを搭載するシステム。
【手続補正２】
【補正対象書類名】明細書
【補正対象項目名】発明の名称
【補正方法】変更
【補正の内容】
【発明の名称】ＰＣＩブリッジ及ＰＣＩブリッジを搭載するシステム
【手続補正３】
【補正対象書類名】明細書
【補正対象項目名】０００１
【補正方法】変更
【補正の内容】
【０００１】
本発明は、プライマリ・バスとセカンダリ・バスとを接続するＰＣＩブリッジ及びＰＣＩブリッジを搭載するシステムに関するものである。
【手続補正４】
【補正対象書類名】明細書
【補正対象項目名】００１８
【補正方法】変更
【補正の内容】
【００１８】
本発明は、プライマリ・バスとセカンダリ・バスとを接続するＰＣＩブリッジであって、前記プライマリ・バスとセカンダリ・バスとの間のデータトランザクションを処理するＰＣＩ−ＰＣＩブリッジと、前記セカンダリ・バス上のメモリから前記プライマリ・バス上のメモリへステータスを転送するＤＭＡアクセラレータと、前記ＰＣＩ−ＰＣＩブリッジと前記ＤＭＡアクセラレータとに対する共通の設定情報を記憶する記憶手段と、前記設定情報に基づいて前記ＰＣＩ−ＰＣＩブリッジによるデータトランザクションの処理と前記ＤＭＡアクセラレータによるステータスの転送とを制御する手段とを有することを特徴とする。
【手続補正５】
【補正対象書類名】明細書
【補正対象項目名】００１９
【補正方法】削除
【補正の内容】
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
通信用のインターフェースにより接続され、マスターとスレーブの関係を有する複数の制御部により構成され、各制御部に選択的に操作用の端末が接続されるシステムにおいて、
上記マスターの制御部に接続される操作用の端末により、スレーブの制御部のメニュー画面データを選択する選択手段と、
この選択手段による選択により、スレーブの保守用メニューの表示内容データ要求コマンドを、マスターの制御部からスレーブの制御部へ送信する送信手段と、
この送信手段の送信に応答して供給されるスレーブの保守用メニューの表示内容データに基づいて上記マスターの制御部に接続される操作用の端末にてスレーブの保守用メニューを表示する表示手段と、
を設けたことを特徴とするシステム。
【手続補正２】
【補正対象書類名】明細書
【補正対象項目名】発明の名称
【補正方法】変更
【補正の内容】
【発明の名称】システム
【手続補正３】
【補正対象書類名】明細書
【補正対象項目名】０００６
【補正方法】変更
【補正の内容】
【０００６】
上記したように、同じ内容の情報がシステム内の各制御部に散在し、この情報に変更が生じればそれが上位にまで及ぶ問題を解消することができるシステムを提供することを目的とする。
【手続補正４】
【補正対象書類名】明細書
【補正対象項目名】００１５
【補正方法】変更
【補正の内容】
【００１５】
上記したように、同じ内容の情報がシステム内の各制御部に散在し、この情報に変更が生じればそれが上位にまで及ぶ問題を解消することができるシステムを提供できる。
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
制御回路と、数値演算ユニットと、レジスタと、Ｉ／Ｏポートとを含むマイクロプロセッサであって、
前記Ｉ／Ｏポートが置き換えられる前記レジスタを指定する指定手段と、
前記Ｉ／Ｏポートを前記指定手段で指定された前記レジスタに置き換えるか否かを許可する許可手段と、
前記許可手段で許可された場合、前記Ｉ／Ｏポートを前記レジスタに置き換える置換手段とを有し、
前記指定手段の指定及び前記許可手段の許可は、前記制御回路を制御するソフトウェアにより変更可能であることを特徴とするマイクロプロセッサ。
【請求項２】
前記置換手段は、割り込み処理時と通常処理時とで異なる置き換えを行うことを特徴とする請求項１記載のマイクロプロセッサ。
【請求項３】
前記レジスタは、少なくとも汎用レジスタの１つであることを特徴とする請求項１記載のマイクロプロセッサ。
【請求項４】
前記汎用レジスタにおける１つのレジスタを特定する特定手段を有し、
前記置換手段は、前記許可手段で許可された場合、前記Ｉ／Ｏポートを前記特定されたレジスタに置き換えることを特徴とする請求項３記載のマイクロプロセッサ。
【請求項５】
前記レジスタは、少なくともフラグレジスタの１つであることを特徴とする請求項１記載のマイクロプロセッサ。
【請求項６】
前記フラグレジスタにおける１つのフラグを特定する特定手段を有し、
前記置換手段は、前記許可手段で許可された場合、前記Ｉ／Ｏポートを前記特定されたフラグレジスタに置き換えることを特徴とする請求項５記載のマイクロプロセッサ。
【請求項７】
制御回路と、数値演算ユニットと、レジスタと、Ｉ／Ｏポートとを含むマイクロプロセッサにおけるＩ／Ｏポート置換方法であって、
前記Ｉ／Ｏポートが置き換えられる前記レジスタを指定する指定工程と、
前記Ｉ／Ｏポートを前記指定工程で指定された前記レジスタに置き換えるか否かを許可する許可工程と、
前記許可工程で許可された場合、前記Ｉ／Ｏポートを前記レジスタに置き換える置換工程とを有し、
前記指定工程の指定及び前記許可工程の許可は、前記制御回路を制御するソフトウェアにより変更可能であることを特徴とするＩ／Ｏポート置換方法。
【手続補正２】
【補正対象書類名】明細書
【補正対象項目名】００１６
【補正方法】変更
【補正の内容】
【００１６】
本発明は、制御回路と、数値演算ユニットと、レジスタと、Ｉ／Ｏポートとを含むマイクロプロセッサであって、前記Ｉ／Ｏポートが置き換えられる前記レジスタを指定する指定手段と、前記Ｉ／Ｏポートを前記指定手段で指定された前記レジスタに置き換えるか否かを許可する許可手段と、前記許可手段で許可された場合、前記Ｉ／Ｏポートを前記レジスタに置き換える置換手段とを有し、前記指定手段の指定及び前記許可手段の許可は、前記制御回路を制御するソフトウェアにより変更可能であることを特徴とする。
【手続補正３】
【補正対象書類名】明細書
【補正対象項目名】００１７
【補正方法】変更
【補正の内容】
【００１７】
また、本発明は、制御回路と、数値演算ユニットと、レジスタと、Ｉ／Ｏポートとを含むマイクロプロセッサにおけるＩ／Ｏポート置換方法であって、
前記Ｉ／Ｏポートが置き換えられる前記レジスタを指定する指定工程と、
前記Ｉ／Ｏポートを前記指定工程で指定された前記レジスタに置き換えるか否かを許可する許可工程と、
前記許可工程で許可された場合、前記Ｉ／Ｏポートを前記レジスタに置き換える置換工程とを有し、
前記指定工程の指定及び前記許可工程の許可は、前記制御回路を制御するソフトウェアにより変更可能であることを特徴とする。
【手続補正４】
【補正対象書類名】明細書
【補正対象項目名】００３２
【補正方法】変更
【補正の内容】
【００３２】
数値演算ユニット１０８は、出力信号１３７ａ、１３７ｂとして入力されたＲ１、Ｒ３に対してALU機能選択制御信号１２３で指定されたXOR演算を行い、演算結果１２４として出力する。ここで、フラグレジスタ１０１への出力１２５には、演算結果がゼロか否かに応じてＺビットに「１」か「０」を出力する。この場合、出力１２５のＣビットには常に「０」を出力する。
【手続補正書】
【提出日】平成20年7月23日(2008.7.23)
【手続補正１】
【補正対象書類名】明細書
【補正対象項目名】００１５
【補正方法】変更
【補正の内容】
【００１５】
図２において、スレッドスケジューラ１１０は、制御回路１１５が出力する周波数制御信号１２１に基づいて実行させるスレッド番号（thread #）２０１を選択し、データパス１１６に出力する。これにより、データパス１１６は、まず実行するスレッド番号２０１に対応するプログラムカウンタをプログラムカウンタ１１１ａ〜１１１ｄから選択する。そして、データパス１１６は選択したプログラムカウンタと実行するスレッド番号２０１とを用いて、命令フェッチ、命令デコード、実行、オペランドフェッチ、結果の格納を、レジスタファイル１１２、数値演算ユニット１１３、メモリ１１４を用いて行う。
【手続補正２】
【補正対象書類名】明細書
【補正対象項目名】００２６
【補正方法】変更
【補正の内容】
【００２６】
また、ノンリアルタイムスレッドテーブル２２１に記録されているスレッドは、ハードリアルタイムビット２２４ｂが「０」の場合にのみ順に実行される。即ち、ハードリアルタイムビット２２４ｂが「０」で、ノンリアルタイムスレッドテーブルポインタ２４３が指すスレッドＩＤをノンリアルタイムスレッドテーブル２２１がマルチプレクサ２４４によって選択され、スレッド番号２０１として出力される。また同時に、ノンリアルタイムスレッドテーブルポインタ２４３は、マルチプレクサ２４９で選択されたインクリメンタ２４８によってインクリメントされる。
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
入射光から色光を分離、または複数の色光を合成して出射するプリズムであって、
複数の三角柱状プリズムが貼り合わされて成り、
該貼り合わせ部の全てまたは一部において接着剤層とプリズム面との間に薄膜が設けられた
ことを特徴とするプリズム。
【請求項２】
上記薄膜は、一方が単層膜、他方が特定の色光を反射する複数層膜である
ことを特徴とする請求項１に記載のプリズム。
【請求項３】
上記三角柱状プリズムは４個用いられ、
８個の貼り合わせ部のうち４個において特定の色光を反射する複数層膜が形成され、
他の４個の貼り合わせ部において単層膜が形成された
ことを特徴とする請求項１に記載のプリズム。
【請求項４】
上記三角柱状プリズムは４個用いられ、
８個の貼り合わせ部のうち４個において特定の色光を反射する複数層膜が形成され、
他の３個の貼り合わせ部において単層膜が形成された
ことを特徴とする請求項１に記載のプリズム。
【請求項５】
上記単層膜は、ＳｉＯｘ(ｘは１から２の小数点以下を含む数字)、又はＳｉＯ2と酸化アルミニウムの混合物質である
ことを特徴とする請求項２、３又は４に記載のプリズム。
【請求項６】
上記ＳｉＯ2と酸化アルミニウムの混合物質は、光の屈折率が略１.４８から１.５４の範囲である
ことを特徴とする請求項５に記載のプリズム。
【請求項７】
上記多層膜は、ＳｉＯｘ(ｘは１から２の小数点以下を含む数字)の層を含む
ことを特徴とする請求項２から６のいずれかに記載のプリズム。
【請求項８】
上記三角柱状プリズムは、プラスチック材である
ことを特徴とする請求項１から７のいずれかに記載のプリズム。
【請求項９】
投射型表示装置用の光学ユニットであって、
分離された色光を画像情報に基づき変調するパネルと、
複数の三角柱状プリズムが貼り合わされて成り、該貼り合わせ部の全てまたは一部において接着剤層とプリズム面との間にダイクロイック薄膜または単層薄膜が設けられ、上記パネルからの変調光を色合成して出射するプリズムと、
該色合成された光をスクリーン上に拡大投射する投射手段とを備えたことを特徴とする光学ユニット。
【請求項１０】
請求項９に記載の光学ユニットと、
パネルを駆動する駆動回路と、
光源を駆動する電源回路とを備えた
ことを特徴とする投射型表示装置。
【請求項１１】
プリズムの製造方法であって、
三角柱状プリズムをプラスチックで射出成形するステップと、
該成形したものを所定範囲の温度域に所定時間保持するステップと、
その後冷却するステップと、
第１の反射膜を形成するステップと、
単層膜を形成し、三角柱状プリズムを貼り合わせるステップと、
第２の反射膜を形成し、三角柱状プリズムを貼り合わせるステップと、
を経て、プリズムを製造する
ことを特徴とするプリズムの製造方法。
【請求項１２】
入射光を異種の偏光光に分離するプリズムであって、
複数の三角柱状プリズムが貼り合わされて成り、
該貼り合わせ部において接着剤層と両プリズム面との間に薄膜が設けられ、
該薄膜は、一方が単層膜、他方が偏光光に対し選択性を有する偏光光分離膜である
ことを特徴とするプリズム。
【請求項１３】
請求項１２に記載のプリズムと、
分離された色光を画像情報に基づき変調するパネルと、
該パネルを駆動する駆動回路と、
色合成された光をスクリーン上に拡大投射する投射手段とを備えた
ことを特徴とする投射型表示装置。
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
複数のコンテンツデータと前記コンテンツデータに関する属性データとを記録する記録手段と、
前記記録手段が記録したコンテンツデータのコンテンツデータ保持数を確認するコンテンツデータ保持数確認手段と、
前記コンテンツデータ保持数確認手段が確認した前記コンテンツデータ保持数に基づいて、前記コンテンツデータをその前記属性データを基に分類するための複数のグループを規定し、前記コンテンツデータをその前記属性データを基づいて前記複数のグループの何れかに分類したリストを生成する制御手段と
を有する電子機器。
【請求項２】
前記制御手段は、前記コンテンツデータが各々有する複数の前記属性データを基に、同一属性データを有する前記コンテンツデータによって第１のグループ分けを行い、前記第１の各グループに属するコンテンツデータの数に応じて第２のグループ分けを行い、更に前記第２のグループ分けに従って前記コンテンツデータのリストを生成する
請求項１に記載の電子機器。
【請求項３】
前記制御手段は、前記第１のグループのうち複数のグループに属するコンテンツデータの数の合計が所定の第１のしきい値以下である場合に、前記第１のグループのうちの前記複数のグループを１つにまとめて前記第２のグループ化を行い、リストを生成する
請求項２に記載の電子機器。
【請求項４】
前記制御手段は、前記第１のグループのうちの１つのグループに属するコンテンツデータの数が所定の第２のしきい値以上である場合に、前記第１のグループのうちの前記１つのグループを複数のグループに分けて前記第２のグループ化を行い、リストを生成する
請求項３に記載の電子機器。
【請求項５】
前記制御手段は、前記同一属性を有する前記コンテンツデータのリストを前記第１のグループ分けによるグループごとにあらかじめ生成する
請求項４に記載の電子機器。
【請求項６】
前記制御手段は、前記コンテンツデータの有する属性データのイニシャルを基に前記第１のグループ分けを行い、各グループに属するコンテンツデータの数がほぼ均一になるように前記第２のグループ分けを行う
請求項１に記載の電子機器。
【請求項７】
前記制御手段は、前記各グループに属するコンテンツデータの数がほぼ均一になるように、前記第２のグループ分けにおいて分けるグループに属する前記コンテンツデータの前記属性データのイニシャルの数を決定する
請求項６に記載の電子機器。
【請求項８】
前記制御手段は、前記コンテンツデータの有する属性データのイニシャルを基に前記第１のグループ分けを行い、各グループを構成する前記イニシャルの数がほぼ均一になるように前記第２のグループ分けを行う
請求項１に記載の電子機器。
【請求項９】
複数のコンテンツデータと前記コンテンツデータに関する属性データとを記録する記録手段と、
前記属性データに基づくリストを表示する表示手段と、
前記記録手段に記録されているコンテンツデータのコンテンツデータ数に基づいて分割された複数のグループからなるリストを、グループ単位で前記表示手段に表示させる制御手段と
を有する電子機器。
【請求項１０】
複数のコンテンツデータと前記コンテンツデータに関する属性データとを記録する記録手段と、
前記記録手段が記録したコンテンツデータのコンテンツデータ保持数を確認するコンテンツデータ保持数確認手段と、
前記コンテンツデータ保持数確認手段が確認した前記コンテンツデータ保持数に基づいて、前記コンテンツデータをその前記属性データを基に分類するための複数のグループを規定し、前記コンテンツデータをその前記属性データを基づいて、前記複数のグループの何れかに分類したリストを生成する第１のモードと、前記コンテンツデータをその前記属性データを基づいて、予め固定して決められた複数のグループの何れかに分類したリストを生成する第２のモードとを有し、前記第１のモードおよび前記第２のモードのうち指定されたモードに基づいて前記リストを生成する制御手段と
を有する電子機器。
【請求項１１】
複数のコンテンツデータと前記コンテンツデータに関する属性データとを記録し前記コンテンツデータを再生する電子機器の表示処理方法であって、
前記記録手段が記録したコンテンツデータのコンテンツデータ保持数を確認する第１の工程と、
前記コンテンツデータ保持数に基づいて前記リストを複数のグループに分割して前記属性データに基づくリストを生成する第２の工程と
を有する表示処理方法。
【請求項１２】
複数のコンテンツデータと前記コンテンツデータに関する属性データとを記録手段に記録し前記コンテンツデータを再生する電子機器の表示処理方法であって、
前記属性データに基づくリストを表示する際に、前記記録手段に記録されているコンテンツデータのコンテンツデータ数に基づいて分割された複数のグループからなるリストを、グループ単位で表示する工程
を有する表示処理方法。
【請求項１３】
記録手段に記録されたコンテンツデータのコンテンツデータ保持数を確認する第１の工程と、
前記第１の工程で確認した前記コンテンツデータ保持数に基づいて、前記コンテンツデータをその前記属性データを基に分類するための複数のグループを規定し、前記コンテンツデータをその前記属性データを基づいて、前記複数のグループの何れかに分類したリストを生成する第１のモードと、前記コンテンツデータをその前記属性データを基づいて、
予め固定して決められた複数のグループの何れかに分類したリストを生成する第２のモードとを有し、前記第１のモードおよび前記第２のモードのうち指定されたモードに基づいて前記リストを生成する第２の工程と
を有する表示処理方法。
【請求項１４】
複数のコンテンツデータと前記コンテンツデータに関する属性データとを記録し前記コンテンツデータを再生する電子機器が実行するプログラムであって、
前記記録手段が記録したコンテンツデータのコンテンツデータ保持数を確認する第１の手順と、
前記コンテンツデータ保持数に基づいて前記リストを複数のグループに分割して前記属性データに基づくリストを生成する第２の手順と
を前記電子機器に実行させるプログラム。
【請求項１５】
複数のコンテンツデータと前記コンテンツデータに関する属性データとを記録し前記コンテンツデータを再生する電子機器が実行するプログラムであって、
前記属性データに基づくリストを表示する際に、前記記録手段に記録されているコンテンツデータのコンテンツデータ数に基づいて分割された複数のグループからなるリストを、グループ単位で表示する手順
を前記電子機器に実行させるプログラム。
【手続補正書】
【提出日】平成20年8月22日(2008.8.22)
【手続補正１】
【補正対象書類名】特許請求の範囲
【補正対象項目名】請求項１
【補正方法】変更
【補正の内容】
【請求項１】
スケジュール・データの内容を表すスケジュール項目に対応づけて、スケジュールの実行時間帯及び実行場所が記憶されたスケジュール・データベース；
地図上の地点を表すノード、ノード間を結ぶ通路を表すリンク、及び各リンクのコストとして与えられるそのリンクを通過するのに標準的に要する所要時間が記憶された地図データベース；
交通機関を表す前記各リンクに対して、その交通機関の時刻表を記憶する時刻表データベース；
並びに、スケジュール・データを登録するためのユーザの操作に応じて、スケジュール項目、実行時間帯、及び実行場所の入力を行う入力手段；
を備えたスケジュール管理システムにおいて、前記入力手段から入力されるスケジュール・データを前記スケジュール・データベースに登録するスケジュール登録装置であって、
前記入力手段から入力されるスケジュール・データが、実行時間帯を定刻に特定せず且つ／または実行場所を一箇所に特定しない時間・場所不定スケジュールの場合、既にスケジュール・データが登録済みの時間帯以外の未登録時間帯に当該時間・場所不定スケジュールを組み込んだ際に、地図データベース及び時刻表データベースに基づき各スケジュール・データの実行場所間をそれらの実行時間帯と整合するように移動する通過リンク、通過ノード、及び待ち時間の組み合わせ（以下「候補経路」という。）を前記地図データベースから抽出する候補経路抽出手段；
前記各候補経路の中から一の移動経路を選択する候補経路選択手段；
並びに、当該移動経路に基づき前記時間・場所不定スケジュールの実行時間帯及び実行場所を特定し、前記スケジュール・データベースに登録する追加登録手段；
を備えていることを特徴とするスケジュール登録装置。
【手続補正２】
【補正対象書類名】明細書
【補正対象項目名】００１０
【補正方法】変更
【補正の内容】
【００１０】
本発明に係るスケジュール登録装置の第１の構成は、スケジュール・データの内容を表すスケジュール項目に対応づけて、スケジュールの実行時間帯及び実行場所が記憶されたスケジュール・データベース；地図上の地点を表すノード、ノード間を結ぶ通路を表すリンク、及び各リンクのコストとして与えられるそのリンクを通過するのに標準的に要する所要時間が記憶された地図データベース；交通機関を表す前記各リンクに対して、その交通機関の時刻表を記憶する時刻表データベース；並びに、スケジュール・データを登録するためのユーザーの操作に応じて、スケジュール項目、実行時間帯、及び実行場所の入力を行う入力手段；を備えたスケジュール管理システムにおいて、前記入力手段から入力されるスケジュール・データを前記スケジュール・データベースに登録するスケジュール登録装置であって、前記入力手段から入力されるスケジュール・データが、実行時間帯を定刻に特定せず且つ／または実行場所を一箇所に特定しない時間・場所不定スケジュールの場合、既にスケジュール・データが登録済みの時間帯以外の未登録時間帯に当該時間・場所不定スケジュールを組み込んだ際に、地図データベース及び時刻表データベースに基づき各スケジュール・データの実行場所間をそれらの実行時間帯と整合するように移動する通過リンク、通過ノード、及び待ち時間の組み合わせ（以下「候補経路」という。）を前記地図データベースから抽出する候補経路抽出手段；前記各候補経路の中から一の移動経路を選択する候補経路選択手段；並びに、当該移動経路に基づき前記時間・場所不定スケジュールの実行時間帯及び実行場所を特定し、前記スケジュール・データベースに登録する追加登録手段；を備えていることを特徴とする。
【手続補正３】
【補正対象書類名】明細書
【補正対象項目名】００８０
【補正方法】変更
【補正の内容】
【００８０】
（例１）
例えば、未登録時間帯の前のスケジュール・データαの実行場所がノードＮ１，開始時刻がＴ１＝１０：００であり、当該未登録時間帯の後のスケジュール・データβの実行場所がノードＮ６，終了時刻がＴ２＝１２：１０であったとする。この条件の下で、移動経路抽出手段１３は移動経路を求める。例えば、図１０（ａ）のような移動経路Ｐが求まったとする。この経路の時刻と移動距離との関係を表すダイヤグラムは図１０（ｂ）のようになる。移動経路Ｐは、Ｐ＝（Ｎ１，Ｌ１，Ｎ２，Ｌ２，Ｎ３，Ｌ３，Ｎ４，Ｌ４，Ｎ５，Ｌ５，Ｎ６）と記される。それぞれの通過ノードと通過リンクにおける所要時間ｔ（Ｎｉ），ｔ（Ｌｉ）（Ｎｉ∈ＳＮ，Ｌｉ∈ＳＬ）及び行程所要時間ｔ（Ｐ）は（表１）の通りである。
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
枠無しで入力されたストローク列から複数の切り出しルールにより認識対象を切り出す認識対象ストローク切り出し手段と、
前記認識対象ストローク切り出し手段により切り出されたストロークを認識する手書き文字認識手段と、
前記手書き文字認識手段により認識された結果から所定の構成に最も近似する認識結果を構成した切り出しストロークを決定する最善切り出しストローク決定手段と、
前記最善切り出しストローク決定手段により決定された切り出しストロークの切り出しルールを後続するストロークに適用して認識する後続ストローク手書き文字認識手段とを有することを特徴とするオンライン手書き文字認識装置。
【請求項２】
前記認識対象ストローク切り出し手段は、２文字以上の認識対象を切り出す複数認識対象ストローク切り出し手段を有し、
前記最善切り出しストローク決定手段は、２文字以上の認識結果から所定の構成に最も近似する組合せを構成した切り出しストロークを決定する最善組合せ切り出しストローク決定手段を有することを特徴とする請求項１に記載のオンライン手書き文字認識装置。
【請求項３】
前記後続ストローク手書き文字認識手段は、前記認識結果の確からしさを評価する認識結果評価手段を有し、
前記認識結果評価手段で評価した結果、しきい値以下の確からしさとなった場合に以降の後続ストロークの認識を中断し、前記しきい値以下の確からしさとなって中断した場合に、前記中断の位置より再び前記認識対象ストローク切り出し手段より後の処理を繰り返すことを特徴とする請求項１に記載のオンライン手書き文字認識装置。
【請求項４】
枠無しで入力されたストローク列から複数の切り出しルールにより認識対象を切り出す認識対象ストローク切り出し工程、
前記認識対象ストローク切り出し工程により切り出されたストロークを認識する手書き文字認識工程と、
前記手書き文字認識工程により認識された結果から所定の構成に最も近似する認識結果を構成した切り出しストロークを決定する最善切り出しストローク決定工程と、
前記最善切り出しストローク決定工程により決定された切り出しストロークの切り出しルールを後続するストロークに適用して認識する後続ストローク手書き文字認識工程とを有することを特徴とするオンライン手書き文字認識方法。
【請求項５】
請求項４に記載のオンライン手書き文字認識方法の各工程をコンピュータに実行させるためのプログラムを記録したことを特徴とするコンピュータ読み取り可能な記録媒体。
【請求項６】
請求項４に記載のオンライン手書き文字認識方法の各工程をコンピュータに実行させることを特徴とするコンピュータプログラム。
【手続補正２】
【補正対象書類名】明細書
【補正対象項目名】０００７
【補正方法】変更
【補正の内容】
【０００７】
本発明のオンライン手書き文字認識装置は、枠無しで入力されたストローク列から複数の切り出しルールにより認識対象を切り出す認識対象ストローク切り出し手段と、前記認識対象ストローク切り出し手段により切り出されたストロークを認識する手書き文字認識手段と、前記手書き文字認識手段により認識された結果から所定の構成に最も近似する認識結果を構成した切り出しストロークを決定する最善切り出しストローク決定手段と、前記最善切り出しストローク決定手段により決定された切り出しストロークの切り出しルールを後続するストロークに適用して認識する後続ストローク手書き文字認識手段とを有することを特徴とする。
本発明のオンライン手書き文字認識方法は、枠無しで入力されたストローク列から複数の切り出しルールにより認識対象を切り出す認識対象ストローク切り出し工程、前記認識対象ストローク切り出し工程により切り出されたストロークを認識する手書き文字認識工程と、前記手書き文字認識工程により認識された結果から所定の構成に最も近似する認識結果を構成した切り出しストロークを決定する最善切り出しストローク決定工程と、前記最善切り出しストローク決定工程により決定された切り出しストロークの切り出しルールを後続するストロークに適用して認識する後続ストローク手書き文字認識工程とを有することを特徴とする。
本発明の記録媒体は、前記オンライン手書き文字認識方法の各工程をコンピュータに実行させるためのプログラムを記録したことを特徴とする。
本発明のコンピュータプログラムは、前記オンライン手書き文字認識方法の各工程をコンピュータに実行させることを特徴とする。
【手続補正書】
【提出日】平成20年8月25日(2008.8.25)
【手続補正１】
【補正対象書類名】明細書
【補正対象項目名】００８１
【補正方法】変更
【補正の内容】
【００８１】
ステップＳ１５３でイベントハンドラ５３にまたはステップＳ１５５でコマンド実行部１２２にイベントを通知すると、外部デバイスドライバ１２１は、受信処理を終了させる。
【手続補正書】
【提出日】平成20年7月22日(2008.7.22)
【手続補正１】
【補正対象書類名】明細書
【補正対象項目名】００２０
【補正方法】変更
【補正の内容】
【００２０】
図３は、表示エリア２１に配置された画素の１つの構成を示した図である。１つの画素３１が備える表示のための構成としては、ここでは水平方向にゲート電極３１ｈが配置してあり、垂直方向にドレイン電極３１ｉが配置してあり、両電極の交点にスイッチング素子３１ａが配置してあり、そのスイッチチング素子３１ａと画素電極３１ｂが接続してある。スイッチチング素子３１ａは、ゲート電極３１ｈを介して得られる信号によりオン・オフが制御され、ドレイン電極３１ｉを介して供給される信号により、画素電極３１ｂでの表示状態が設定される。
【手続補正２】
【補正対象書類名】明細書
【補正対象項目名】００２１
【補正方法】変更
【補正の内容】
【００２１】
そして、画素電極３１ｂに隣接した位置に、受光センサ（受光素子）３１ｃが配置してあり、電源電圧ＶＤＤが供給される。この受光センサ（受光素子）３１ｃには、リセットスイッチ３１ｄとコンデンサ３１ｅが接続してあり、リセットスイッチ３１ｄでリセットされた後、コンデンサ３１ｅで受光量に対応した電荷を蓄積するようにしてある。その蓄積された電荷に比例した電圧が、読み出しスイッチ３１ｇがオンとなるタイミングで、バッファアンプ３１ｆを介して、信号出力用電極３１ｊに供給され、外部に出力される。リセットスイッチ３１ｄのオン・オフは、リセット電極３１ｋに得られる信号により制御され、読み出しスイッチ３１ｇのオン・オフは、読出し制御電極３１ｍに得られる信号により制御される。
【手続補正３】
【補正対象書類名】図面
【補正対象項目名】図５
【補正方法】変更
【補正の内容】
【図５】
2007058552.tif 000001
【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
各トラックにおいて円周方向に間隔をおいて配置された複数のサーボ・データとサーボ・データ間に位置するデータ・セクタとを有するメディアに対するユーザ・データの書き込みを制御する方法であって、
回転するメディア上で、読み出したサーボ・データを使用して、ヘッドをユーザ・データ書き込みのターゲット・トラックに位置決めし、
前記ターゲット・トラックのデータ・セクタを前記ヘッドで読み出し、
前記データ・セクタの読み出し信号を使用して前記メディアへのデータ書き込みの許否を決定し、
サーボ・セクタ内のデータ・セクタの読み出し信号の変動を検出し、その変動を使用して前記メディアへのデータ書き込み許否を決定する、方法。
【請求項２】
複数サーボ・セクタのそれぞれについて、そのデータ・セクタの読み出し信号の変動を検出し、その複数サーボ・セクタのそれぞれの読み出し信号変動を使用して前記メディアへのデータ書き込み許否を決定する、請求項１に記載の方法。
【請求項３】
前記複数のサーボ・セクタは連続するサーボ・セクタである請求項２に記載の方法。
【請求項４】
単一サーボ・セクタにおけるデータ・セクタの読み出し信号変動によって前記メディアへのデータ書き込み許否を決定する、請求項１に記載の方法。
【請求項５】
前記サーボ・セクタにおけるデータ・セクタの読み出し信号の最大値と最小値とを使用して前記メディアへのデータ書き込み許否を決定する、請求項１に記載の方法。
【請求項６】
前記サーボ・セクタにおけるデータ・セクタの読み出し信号の前記最大値と前記最小値の差が基準値を超えるか否かによって前記メディアへのデータ書き込み許否を決定する、請求項５に記載の方法。
【請求項７】
前記サーボ・データによって特定されるヘッド位置及びそのサーボ・データと同一サーボ・セクタにおけるデータ・セクタの読み出し信号を使用して、前記メディアへのデータ書き込みの許否を決定する、請求項１に記載の方法。
【請求項８】
前記サーボ・データによって特定されるヘッド位置及びヘッド速さと、そのサーボ・データと同一サーボ・セクタにおけるデータ・セクタの読み出し信号とを使用して、前記メディアへのデータ書き込みの許否を決定する、請求項１に記載の方法。
【請求項９】
複数サーボ・データのそれぞれについてのヘッド位置及びヘッド速さと、前記複数サーボ・データのそれぞれのサーボ・セクタにおけるデータ・セクタの読み出し信号とを使用して、前記メディアへのデータ書き込みの許否を決定する、請求項１に記載の方法。
【請求項１０】
各トラックにおいて円周方向に間隔をおいて配置された複数のサーボ・データと各サーボ・データ間に位置するデータ・セクタとを有するメディアに対して、ユーザ・データを書き込むデータ記憶装置であって、
回転するメディアからサーボ・データとデータ・セクタとを読み出すヘッドと、
読み出されたサーボ・データを使用して、ユーザ・データを書き込むターゲット・トラックに前記ヘッドを位置決め制御し、そのターゲット・トラックにおけるデータ・セクタ読み出し信号を使用して、前記メディアへのユーザ・データ書き込みの許否を決定するコントローラと、を備え、
前記コントローラは、サーボ・セクタ内のデータ・セクタの読み出し信号の変動を使用して、前記メディアへのデータ書き込み許否を決定する、
データ記憶装置。
【請求項１１】
前記コントローラは、複数サーボ・セクタのそれぞれの読み出し信号変動を使用して前記メディアへのデータ書き込み許否を決定する、請求項１０に記載のデータ記憶装置。
【請求項１２】
前記複数のサーボ・セクタは連続するサーボ・セクタである請求項１１に記載のデータ記憶装置。
【請求項１３】
前記コントローラは、単一サーボ・セクタにおけるデータ・セクタの読み出し信号変動によって前記メディアへのデータ書き込み許否を決定する、請求項１０に記載のデータ記憶装置。
【請求項１４】
前記コントローラは、前記サーボ・セクタにおけるデータ・セクタの読み出し信号の最大値と最小値とを使用して前記メディアへのデータ書き込み許否を決定する、請求項１０に記載のデータ記憶装置。
【請求項１５】
前記コントローラは、前記サーボ・セクタにおけるデータ・セクタの読み出し信号の前記最大値と前記最小値の差が基準値を超えるか否かによって前記メディアへのデータ書き込み許否を決定する、請求項１４に記載のデータ記憶装置。
【請求項１６】
前記コントローラは、前記サーボ・データによって特定されるヘッド位置及びそのサーボ・データと同一サーボ・セクタにおけるデータ・セクタの読み出し信号を使用して、前記メディアへのデータ書き込みの許否を決定する、請求項１０に記載のデータ記憶装置。
【請求項１７】
前記コントローラは、前記サーボ・データによって特定されるヘッド速さ及びそのヘッド速さを特定するサーボ・データと同一サーボ・セクタにおけるデータ・セクタの読み出し信号を使用して、前記メディアへのデータ書き込みの許否を決定する、請求項１０に記載のデータ記憶装置。
【請求項１８】
前記コントローラは、複数サーボ・データのそれぞれについてのヘッド位置及びヘッド速さと、前記複数サーボ・データのそれぞれのサーボ・セクタにおけるデータ・セクタの読み出し信号とを使用して、前記メディアへのデータ書き込みの許否を決定する、請求項１０に記載のデータ記憶装置。
【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
光学系を有するレンズユニットと、前記レンズユニットが着脱自在に構成されたカメラボディとを有するカメラシステムにおいて、
前記カメラボディにおけるぶれの影響を補正する手ぶれ補正手段と、
前記手ぶれ補正手段のぶれ補正量を演算するためのデータを記憶する記憶手段と、
前記記憶手段に記憶されたデータから、前記手ぶれ補正手段における補正の際の補正量を演算する制御手段と、
を具備することを特徴とするカメラシステム。
【請求項２】
前記記憶手段に記憶されたデータは、フォーカスレンズ群の繰り出し量から前記光学系のレンズデータを求めるための変換係数であることを特徴とする請求項１に記載のカメラシステム。
【請求項３】
前記記憶手段に記憶されたデータは、フォーカスレンズ群の繰り出しパルス数から前記光学系のレンズデータを求めるための変換係数であることを特徴とする請求項１に記載のカメラシステム。
【請求項４】
前記ぶれ補正量を演算するためのデータは、前記光学系の横倍率、前記光学系の焦点距離、及び前記光学系の前側主点位置を含むことを特徴とする請求項１に記載のカメラシステム。
【請求項５】
前記手ぶれ補正手段は、前記カメラボディの回転によるぶれ角度を検出する手段を有し、
前記ぶれ補正量は、前記ぶれ補正量を演算するためのデータと前記回転によるぶれ角度とから演算されることを特徴とする請求項１に記載のカメラシステム。
【請求項６】
前記ぶれ補正量は、以下の式によって演算されることを特徴とする請求項５に記載のカメラシステム。
Ｉθ＝ｋ・θ      
（Ｉθ：ぶれ補正量、θ：ぶれ角度）
及び
ｋ＝（１＋Ｂ）ｆ＋Ｂ・Ｈ
（ｆ：光学系の焦点距離、Ｂ：光学系の横倍率、Ｈ：像面から前側主点までの距離）
【請求項７】
前記手ぶれ補正手段は、
前記カメラボディの回転によるぶれ角度を検出する手段と、
前記カメラの平行移動ぶれ量を検出する手段と、
を有し、
前記ぶれ補正量は、前記ぶれ補正量を演算するためのデータと、前記回転によるぶれ角度と、前記平行移動ぶれ量とから演算されることを特徴とする請求項１に記載のカメラシステム。
【請求項８】
前記ぶれ補正量は、以下の式によって演算されることを特徴とする請求項７に記載のカメラシステム。
Ｉθ＝ｋ１・θ＋ｋ２・δ
（Ｉθ：ぶれ補正量、θ：ぶれ角度、δ：平行移動ぶれ量）
及び
ｋ１＝（１＋Ｂ）ｆ＋Ｂ・Ｈ
ｋ２＝−Ｂ
（ｆ：光学系の焦点距離、Ｂ：光学系の横倍率、Ｈ：像面から前側主点までの距離）
【請求項９】
前記記憶手段は、前記レンズユニットに設けられていることを特徴とする請求項１に記載のカメラシステム。
【請求項１０】
前記記憶手段は、前記カメラボディに設けられていることを特徴とする請求項１に記載のカメラシステム。
【手続補正２】
【補正対象書類名】明細書
【補正対象項目名】０００６
【補正方法】変更
【補正の内容】
【０００６】
上記の目的を達成するために、本発明の第１の態様によるカメラシステムは、光学系を有するレンズユニットと、前記レンズユニットが着脱自在に構成されたカメラボディとを有するカメラシステムにおいて、前記カメラボディにおけるぶれの影響を補正する手ぶれ補正手段と、前記手ぶれ補正手段のぶれ補正量を演算するためのデータを記憶する記憶手段と、前記記憶手段に記憶されたデータから、前記手ぶれ補正手段における補正の際の補正量を演算する制御手段とを具備することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】